(57)【要約】【課題】使用時におけるベルトの余剰端部分の長さをほぼ一定にすることができ、体裁よく安全に且つ緊締が緩まない状態で使用しうるようにされた新規のスーツケース用緊締ベルトを提供することを目的とする。【解決手段】余剰端部分を留める内外一対の長方形緊締環がベルト本体の基端に取付けられ且つベルト本体が長さ調節しうるようにされた形式のスーツケース用緊締ベルトに関し、前記ベルト本体の末端における所定の長さ部分は、最良長さの余剰端部分に指定され、また前記ベルト本体において当該ベルト本体が留め状態にされたときに前記指定余剰端部分に対面する対応個所の外面と前記指定余剰端部分の内面とには、相互に係合する本止め用係止具及び仮止め用係止具が設けられ、当該仮止め用係止具の方はベルトの締付長さ量分に相当する長さ分だけ本止め用係止具よりも前記内外一対の長方形緊締環に近い位置になる配置にされたことを特徴とする。【選択図】図３
2005334588.tif 000002
【特許請求の範囲】
【請求項１】
余剰端部分を留める内外一対の長方形緊締環がベルト本体の基端に取付けられ且つベルト本体が長さ調節しうるようにされた形式のスーツケース用緊締ベルトに関し、前記ベルト本体の末端における所定の長さ部分は、最良長さの余剰端部分に指定され、また前記ベルト本体において当該ベルト本体が留め状態にされたときに前記指定余剰端部分に対面する対応個所の外面と前記指定余剰端部分の内面とには、相互に係合する本止め用係止具及び仮止め用係止具が設けられ、当該仮止め用係止具は本止め用係止具よりもベルトの締付長さ量分に相当する長さ分だけ前記内外一対の長方形緊締環に近い位置になる配置にされたことを特徴とするスーツケース用緊締ベルト。
【請求項２】
内側ベルト部及び外側ベルト部からなる二つ折りの長さ調節ベルト部材と、日の字形状を呈しその中間横軸に前記内側ベルト部の先端が連結され且つ同中間横軸の両側に存する内径孔に前記外側ベルト部がスライド可能に挿通されることにより取り付けられた長さ調整バックルと、前記長さ調節ベルト部材の二つ折り個所がスライド可能に挿通されることにより取り付けられた長方形連結環と、当該長方形連結環に中間ベルト部材を介して取り付けられた内外一対の長方形緊締環とによってベルト本体が構成され、前記ベルト本体の末端における所定の長さ部分は最良な一定長さの余剰端部分に指定され、また前記ベルト本体の末端が内外一対の長方形緊締環に挟み留め状態にされたときに当該ベルト本体における前記指定余剰端部分に対面する対応個所の外面と前記指定余剰端部分の内面とには相互に係合する本止め用係止具及び仮止め用係止具が設けられ、当該仮止め用係止具はベルトの締付長さ量分に相当する長さ分だけ本止め用係止具よりも前記内外一対の長方形緊締環に近い位置になる配置にされたことを特徴とするスーツケース用緊締ベルト。
【請求項３】
本止め用係止具及び仮止め用係止具が面ファスナであることを特徴とする請求項１又は２記載のスーツケース用緊締ベルト。
【請求項４】
本止め用係止具における指定余剰端部分の内面に設けられた面ファスナが仮止め用係止具における指定余剰端部分の内面に設けられた面ファスナを兼ね果たしうるようにされたことを特徴とする請求項３記載のスーツケース用緊締ベルト。
【請求項５】
中間ベルト部の裏面には滑り止め部が設けられたことを特徴とする請求項２、３又は４記載のスーツケース用緊締ベルト。
【発明の詳細な説明】
【技術分野】
【０００１】  本発明は、スーツケースの蓋が誤って開いてしまうことを防止するために、当該スーツケースの周囲に巻き止めて用いるスーツケース用緊締ベルトに関する。具体的には、スーツケースの閉止状態がベルトの緊張によって確実に維持され、またベルトの余剰端部分が本止め用係止具同士の係止によってその遊動が阻止され且つベルトの余剰端部分が決まった一定の長さにされるようにしたスーツケース用緊締ベルトに関するものである。
【背景技術】
【０００２】  そもそも、この種の緊締ベルトは、異なるサイズのスーツケースにも合うように予め長さ調節ができる構造に作られている。【０００３】  従来知られているこの種のスーツケース用緊締ベルトは、これを用いるときにはベルトの長さを予め充分に調節して使用しないと、ベルトの末端が自由端となって長く垂れ下がり（本文中、この垂れ下がる部分を余剰端部分という。）、始末におえないことが多々あった。【０００４】  すなわち、余剰端部分は、長く垂れ下がると、他のものに引っ掛かったり、緊締が緩んだりすることがあるという問題点があって、安全性の面で好ましくなかった。また、余剰端部分が垂れ下がる長さを極端に短くすると、輸送途中に、緊締金具からベルトの末端が抜け外れる危険性があった。【０００５】  しかしながら、前記緊締ベルトの長さの調節は、消費者にとっては必ずしも容易なことではなく、不慣れなこともあって、どちらかと言うと面倒なことであった。このように調度良い長さに調節しにくいことがあってか、余剰端部分が長く垂れ下がった必ずしも体裁が良いとは言えない状態、中には危険と思われるような状態にされたまま、つまり本意でない多少不満足な状態のままで使用する消費者が少なくない。特に最近は、緊締ベルトが目印等になるということもあって、差別化ができるカラフルなデザインのものが選らばれる傾向になってから特に目立つようになってきている。そして、これに伴って店員が前記調節を行ってから購入者に渡すケースが増えてきている。これは店側からすればマイナス要因であり好ましいことではない。【０００６】  このようなことから、少しでも容易に体裁が良く危険性がない状態に、前記余剰端部分の処理ができるようにされた緊締ベルトへの要望は、多くあった。【０００７】  斯かる要望に一見応えられているような緊締ベルトは、たとえば特許文献１及び特許文献２に開示されている。【０００８】  これら特許文献１及び特許文献２に開示された緊締ベルトは、いずれも、余剰端部分が自由端となって遊動してしまうことを阻止することができてはいるが、緊締金具部からベルトの余剰端部分の先端までの長さが、調度良い状態に規制できる構成にはなっていないものであった。【０００９】  このように前記特許文献１及び特許文献２に開示の緊締ベルトは、緊締具部からベルトの余剰端部分の先端までの長さが調度良い状態に規制できる構成にはなっていないために、使い方によっては、当該長さが必要以上に長い若しくは短い状態で使われてしまうことが比較的多くあった。【００１０】  つまり、特許文献１及び特許文献２に開示されている緊締ベルトは、完全には、前記要望を満たし切っているとは言えないものであった。【００１１】
【特許文献１】特開２００２−１０１９４０号公報
【特許文献２】登録実用第３０３８８８３号公報
【発明の開示】
【発明が解決しようとする課題】
【００１２】  本発明は、前記現状に鑑み、ベルトの余剰端部分の長さをほぼ一定にすることができて、体裁よく安全に且つ緊締が緩まない状態で使用しうるようにされた新規のスーツケース用緊締ベルトを提供することを目的とする。
【課題を解決するための手段】
【００１３】  前記目的を達成するために、請求項１に係るスーツケース用緊締ベルトは、余剰端部分を留める内外一対の長方形緊締環がベルト本体の基端に取付けられ且つベルト本体が長さ調節しうるようにされた形式のスーツケース用緊締ベルトに関し、前記ベルト本体の末端における所定の長さ部分は、最良の長さの余剰端部分に指定され、また前記ベルト本体において当該ベルト本体が留め状態にされたときに前記指定余剰端部分に対面する対応個所の外面と前記指定余剰端部分の内面とには、相互に係合する本止め用係止具及び仮止め用係止具が設けられ、当該仮止め用係止具はベルトの締付長さ量分に相当する長さ分だけ本止め用係止具よりも前記内外一対の長方形緊締環に近い位置になる配置にされたことを特徴とする技術的手段が講じられたものである。【００１４】  したがって、請求項１に係るスーツケース用緊締ベルトは、たとえば次のようにして使用することができる。【００１５】  請求項１に係るスーツケース用緊締ベルトは、スーツケースの胴周径よりやや長くなっていることを予め確認してから当該スーツケースの胴周部に巻き回し、この巻き回し状態において、ベルト本体の末端を内外一対の長方形緊締環の内径孔に内面側から外面側に向かって通し、この通し状態において仮止め用係止具を係止して仮止め状態にする。しかる後、この仮止め状態においてベルト本体の長さを短く調節して当該ベルト本体のスーツケースへの巻き付けを弛みの少ない略緊張状態にする。この略緊張状態において余剰端部分を強く引っ張って本止め用係止具を係止させることにより本止め状態にする。【００１６】  その結果、前記余剰端部分が引っ張られた分だけベルト本体がさらに短くなって強く緊張されるので、スーツケースの蓋が誤って開いてしまうことが防止され、また、余剰端部分の長さは一定にされ、さらに余剰端部分は遊動しないようにされる。【００１７】  請求項２に係るスーツケース用緊締ベルトは、内側ベルト部及び外側ベルト部からなる二つ折りの長さ調節ベルト部材と、日の字形状を呈しその中間横軸に前記内側ベルト部の先端が連結され且つ同中間横軸の両側に存する内径孔に前記外側ベルト部がスライド可能に挿通されることにより取り付けられた長さ調整バックルと、前記長さ調節ベルト部材の二つ折り個所がスライド可能に挿通されることにより取り付けられた長方形連結環と、当該長方形連結環に中間ベルト部材を介して取り付けられた内外一対の長方形緊締環とによってベルト本体が構成され、前記ベルト本体の末端における所定の長さ部分は最良な一定長さの余剰端部分に指定され、また前記ベルト本体の末端が内外一対の長方形緊締環に挟み留め状態にされたときに当該ベルト本体における前記指定余剰端部分に対面する対応個所の外面と前記指定余剰端部分の内面とには相互に係合する本止め用係止具及び仮止め用係止具が設けられ、当該仮止め用係止具はベルトの締付長さ量分に相当する長さ分だけ本止め用係止具よりも前記内外一対の長方形緊締環に近い位置になる配置にされたことを特徴とする。【００１８】  したがって、請求項２に係るスーツケース用緊締ベルトは、たとえば次のようにして使用することができる。【００１９】  請求項２に係るスーツケ���ス用緊締ベルトは、スーツケースの胴周径よりやや長くなっていることを確認してから当該スーツケースの胴周部に巻き回し、この巻き回し状態においてベルト本体の末端を内外一対の長方形緊締環の内径孔に内面側から外面側に向かって通したのち、この通し状態において仮止め用係止具を係止して仮止め状態にする。しかる後、この仮止め状態において内側ベルト部の長方形連結環に近い個所を手指で挟み持って当該内側ベルトに引き操作を加えることにより外側ベルト部の長さを短くしてベルト本体のスーツケースへの巻き付けを略緊張状態にする。この略緊張状態において内・外両側ベルトにおける長方形連結環に近い個所を重なり状態のまま手指で挟み持って位置ずれしないように保持する。この保持を維持したままの状態、すなわち前記引き操作により外側ベルトに弛みができたままの保持状態において、空いている方の手で前記仮止め状態を解消して余剰端部分を内外一対の長方形緊締環から抜き外すと共にベルト本体をスーツケースから一旦外す。この場合、これら外し操作中及びその後も前記保持状態を維持する。この維持状態のままにおいて長さ調整バックルをスライドさせて前記弛みを無しの状態にする。よって、ベルト本体は、前記略緊張状態時の長さすなわちスーツケースの胴周径に見合った調度よい長さにされる。このようにして調度よい長さになったベルト本体を再びスーツケースの胴周部に巻き回すと共に余剰端部分を内外一対の長方形緊締環の内径孔に内面側から外面側に向かって通したのち、内側の長方形緊締環の内径孔に外側の長方形緊締環の外周の外側を経て戻し通すと共にこの戻し通し状態において余剰端部分を強く引っ張って本止め用係止具同士を係止させ、よって本止め状態にする。【００２０】  なお、前記弛み無しの状態にする操作は、ベルト本体をスーツケースから一旦外して行っているが、器用な人、手馴れた人であれば外さないでもできる。このように外さずにできれば、弛み無しの状態にした後に行う、ベルト本体を再びスーツケースの胴周部に巻き回す操作、余剰端部分を内外一対の長方形緊締環の内径孔に内面側から外面側に向かって通す操作、内側の長方形緊締環の内径孔に外側の長方形緊締環の外周の外側を経て戻し通す操作を行う必要がなくなるので、省力化、作業時間の短縮化ができる。【００２１】  その結果、前記余剰端部分が引っ張られた分だけベルト本体がさらに短くなって強く緊張された状態になるので、スーツケースの蓋が誤って開いてしまうこが防止される。また、余剰端部分の長さを一定にすることができ、しかも余剰端部分が遊動しないようにすることができる。【００２２】  請求項３に係るスーツケース用緊締ベルトは、本止め用係止具及び仮止め用係止具が面ファスナであることを特徴とする。【００２３】  したがって、本止め用係止具及び仮止め用係止具の係止操作及びその外し操作が容易にできる。【００２４】  請求項４に係るスーツケース用緊締ベルトは、本止め用係止具における指定余剰端部分の内面に設けられた面ファスナが仮止め用係止具における指定余剰端部分の内面に設けられた面ファスナを兼ね果たしうるようにされたことを特徴とする。【００２５】  したがって、仮止め用係止具における指定余剰端部分���内面に対する面ファスナの取付が省略でき、構成の簡略化及びコストの低減化ができる。【００２６】  請求項５に係るスーツケース用緊締ベルトは、中間ベルト部の裏面に滑り止め部が設けられたことを特徴とする。【００２７】  したがって、前記余剰端部分を引いて本止め用係止具同士を係止させる操作を行なう際には、中間ベルト部材のスーツケースに対する押し付け圧によって滑り止め部がより確実に滑らないようにベルト本体を固定することができるので、本止め用係止具同士の係止は、位置ずれしない状態で容易に係止させることができる。
【発明の効果】
【００２８】  請求項１に係るスーツケース用緊締ベルトは、前記の通りであるので、スーツケースの蓋が誤って開いてしまうことを防止でき、また、余剰端部分の長さは常に一定に保たれた体裁がよい状態にすることができ、しかも余剰端部分は遊動しない安全な状態に係止できる。【００２９】  請求項２に係るスーツケース用緊締ベルトは、前記の通りであるので、スーツケースの蓋が誤って開いてしまうことを防止でき、また、余剰端部分の長さは常に一定に保たれた体裁がよい状態にすることができ、しかも余剰端部分は遊動しない安全な状態に係止できる。【００３０】  請求項３に係るスーツケース用緊締ベルトは、本止め用係止具及び仮止め用係止具が面ファスナであるので、本止め用係止具及び仮止め用係止具の係止操作及びその外し操作が容易にできる。【００３１】  請求項４に係るスーツケース用緊締ベルトは、本止め用係止具における指定余剰端部分の内面に設けられた面ファスナが仮止め用係止具における指定余剰端部分の内面に設けられた面ファスナを兼ね果たしうるようにされたので、構成の簡略化及びコストの低減化ができる。【００３２】  請求項５に係るスーツケース用緊締ベルトは、中間ベルト部の裏面に滑り止め部が設けられたので、前記余剰端部分を引いて本止め用係止具同士を係止させる操作を行なう際には、中間ベルト部材のスーツケースに対する押し付け圧によって、確実に滑り止め部がベルト本体を滑らないように固定することができ、本止め用係止具同士の係止は、位置ずれしない状態で容易に係止させることができる。
【発明を実施するための最良の形態】
【００３３】  図に示す本発明の実施の態様に係るスーツケース用の緊締ベルト１は、長さ調節が任意にできる形式のベルト本体２に工夫を施したものである。【００３４】  すなわち、本実施の態様に係るスーツケース用の緊締ベルト１は、化学繊維で織った幅の広い織り帯を以て構成された内側ベルト部３及び外側ベルト部４からなる二つ折りの長さ調節ベルト部材５と、日の字形状を呈しその中間横軸６に前記内側ベルト部３の先端が連結され且つ同中間横軸６の両側に存する内径孔７，８に前記外側ベルト部４がスライド可能に挿通されることによって取り付けられた金属製の長さ調整バックル９と、前記長さ調節ベルト部材５の二つ折り個所１０がスライド可能に挿通されることによって取り付けられた金属製の長方形連結環１１と、当該長方形連結環１１に中間ベルト部材１２を介して取り付けられた金属製の内外一対から成る長方形緊締環１３，１４と、前記外側ベルト部４の先端に皮片１５、１６を重ね縫いすることによって設けられた剣先部１７とにより構成されたベルト本体２に次のような工夫が施されたものである。【００３５】  前記ベルト本体２は、前記のように構成されているので、その長さは、前記長さ調整バックル９の位置を外側ベルト部４に沿って適宜にずらすことによって任意に変更・調整できる。【００３６】  また、前記ベルト本体２の外側ベルト部４の余剰端部分１９は、これを内外両方の長方形緊締環１３、１４の内径孔２０、２１に内面側から外面側に向かって通したのち、外側の長方形緊締環１４の外側を経て内側の長方形緊締環１３の内径孔２０に外面側から内面側に向かって戻し通すことによりて、前記内外両方の長方形緊締環１３、１４に連結されている。したがって、前記ベルト本体２は、その締め着け操作及びその弛め操作ができる。なお、これら締め着け操作、弛め操作の方法は、従前行われていることと同様であるので、ここではその詳細な説明は省略する。【００３７】  さて、前記工夫は、ベルト本体２の余剰端部分１９の垂れ下がる長さを常に一定に保ち得るようにされたものであって、具体的には次の通りである。【００３８】  すなわち、前記工夫は、前記外側ベルト部４の先端部における所定の長さ部分が最良長さの余剰端部分１９に指定され、また前記ベルト本体２がスーツケース２３の胴回りに掛け回して緊締状態にされたときに前記外側ベルト部４における指定余剰端部分１９に対面する対応個所２４の先端部の外面と前記指定余剰端部分１９の先端部の内面とに相互に係合する本止め用係止具２５、２６が設けられ、さらに前記対応個所２４の中間位置の外面には、前記指定余剰端部分１９の先端部に設けられた方の本止め用係止具２６と係合する仮止め用係止具２７が設けられて成るものである。因みに、前記指定余剰端部分１９の先端部に設けられた方の本止め用係止具２６は、前記の係合またはその解消操作を行い易くするため及び外に露呈しないようにするために、前記剣先部１７の内側面に設けられている。【００３９】  前記対応個所２４の先端部に設けられた本止め用係止具２５と前記対応個所２４の中間位置に設けられた仮止め用係止具２７は、雌型の面ファスナーであり、前記指定余剰端部分１９の先端部に設けられた方の本止���用係止具２６は、前記雌型の面ファスナー２５，２７に択一に係止させたり外したりできる雄型の面ファスナーである。なお、本発明は、前記面ファスナーの代わりにスナップホック、マグネットホック、その他の係止具を採用することは任意である。【００４０】  また、前記中間ベルト部材１２は、前記長さ調節ベルト部材５と同じ材質の短尺ベルト材を三つ折にして縫い合わせることによって構成され、両端には管状の軸通し部２８、２９が設けられている。そして一方の軸通し部２８には前記長方形連結環１１の軸部３０が挿通されることによって当該長方形連結環１１が取り付けられ、他方の軸通し部２９には前記内外一対の長方形緊締環１３，１４の軸部３１，３２が挿通されることによって当該内外一対の長方形緊締環１３，１４が取り付けられている。さらに、前記中間ベルト部材１２には、その裏面に滑り止め層３３が設けられている。この滑り止め層３３は、後述する（８）の操作を容易且つ確実に行い得るようにするために設けられている。なお、本発明は、滑り止め層３３を設けないで実施することができる。【００４１】  前記において説明した実施の形態に係るスーツケース用の緊締ベルト１は、たとえば次のような、（１）〜（８）の操作を順に行う要領で使用される。【００４２】  （１）先ず、ベルト本体２がスーツケース２３の胴周径より長くなっていることを確認してから当該スーツケース２３の胴周部に仮りに巻き回す。
（２）この仮巻き回し状態において余剰端部分１９を内外一対の長方形緊締環１３、１４の内径孔２０，２１に内面側から外面側に向かって通し（図５中の仮想線参照）たのち、この通し状態において余剰端部分１９に設けられた本止め用係止具２６を仮止め用係止具２７に係止して仮止め状態にする。
（３）この仮止め状態において内側ベルト部３の長方形連結環１１に近い個所を手指で挟み持って引き操作を加えることにより外側ベルト部４の長さを短くしてベルト本体２のスーツケース２３への巻き付けを略緊張状態にする（図４参照）。この場合、内側ベルト３には前記外側ベルト部４が短くされることによってたとえば図４に示す形状のような弛み２２が生ずる。勿論、この弛み２２の形状は常に異なることはいうまでもない。
（４）次いで、前記略緊張状態において内・外両側ベルト３、４における長方形連結環１１に近い個所１８ａ、１８ｂを重なり状態のまま手指で挟み持って位置ずれしないように保持する。
（５）この保持を維持したままの状態、すなわち前記引き操作により外側ベルト４に弛み２２ができたままの保持状態において、空いている方の手で前記仮止め状態を解消して余剰端部分１９を内外一対の長方形緊締環１３、１４から外すと共にベルト本体２をスーツケース２３から一旦外す。この場合、これら外し操作中及びその後も前記保持状態は維持する。
（６）この維持状態のままにおいて長さ調整バックル９をスライドさせて前記弛みを無しの状態にする。よって、ベルト本体２は、前記略緊張状態時の長さすなわちスーツケース２３の胴周径に見合った調度よい長さにされる。
（７）このようにして調度よい長さになったベルト本体２を再びスーツケース２３の胴周部に巻き回すと共に余剰端部分１９を内外一対の長方形緊締環１３、１４の内径孔２０，２１に内面側から外面側に向かって通したのち、内側の長方形緊締環１３の内径孔２０に外側の長方形緊締環１４の外周の外側を経て戻し通す（図６中の仮想線参照）。
（８）この戻し通し状態において、一方の手を使って中間ベルト部材１２部分をスーツケース２３に押し付けて移動しないように固定すると共に他方の手を使って余剰端部分１９に引っ張り操作を加え、よってベルト本体２を引き締めてから本止め用係止具２５、２６同士を係止させる要領を行い、この要領により本止め状態にする（図２及び図３参照）。この本止め状態にした場合には、前記余剰端部分１９が引っ張られた分だけベルト本体２は短くなって強く緊張される。なお、前記一方の手で中間ベルト部材１２部分をスーツケース２３に押し付けた場合においては、前記滑り止め層３３がベルト本体２を滑らないようにしっかりと固定しておく機能を果たすものであって、前記要領を行うのに有効に機能する。【００４３】  前記（１）〜（８）の操作を順に行う要領は、これに拘る必要な無く、たとえば（５）及び（７）の操作を省くことができる。すなわち、ベルト本体２をスーツケース２３から外さずに略緊張状態の遊びを利用して（６）の操作を行った後、余剰端部分１９を引っ張って本止め用係止具２５、２６同士を係止させることにより本止め状態にする方法等でも使用できる。この後者の要領は、慣れてくれば比較的容易にできることであり、前記操作のトータル時間の短縮化に有利である。【００４４】  前記本止め状態にされた場合、スーツケース２３の閉止状態は、ベルト本体２の緊張によって確実に維持され、またベルト本体２の余剰端部分１９は、本止め用係止具２５、２６同士の係止によってその遊動が阻止され且つ決まった一定の長さにされる。
【図面の簡単な説明】
【００４５】
【図１】実施の形態を使用の状態で示す斜視図である。
【図２】実施の形態を本止め状態で示す斜視図である。
【図３】図２Ａ−Ａ線に沿う断面図である。
【図４】実施の形態を略緊張状態で示す斜視図である。
【図５】仮止め状態にする場合の余剰端部分の通し順を示す断面図である。
【図６】本止め状態にする場合の余剰端部分の通し順を示す断面図である。
【符号の説明】
【００４６】  １  実施の態様に係るスーツケース用の緊締ベルト
２  ベルト本体
３  内側ベルト部
４  外側ベルト部
５  長さ調節ベルト部材
６  中間横軸
７、８  内径孔
９  長さ調整バックル
１０  二つ折り個所
１１  長方形連結環
１２  中間ベルト部材
１３  長方形緊締環
１４  長方形緊締環
１５、１６  皮片
１７  剣先部
１８ａ、１８ｂ  近い個所
１９  余剰端部分
２０、２１  内径孔
２２  弛み
２３  スーツケース
２４  対応個所
２５、２６  本止め用係止具
２７  仮止め用係止具
２８、２９  軸通し部
３０  軸部
３１、３２  軸部
３３  滑り止め層
【図１】
2005334588.tif 000003
【図２】
2005334588.tif 000004
【図３】
2005334588.tif 000005
【図４】
2005334588.tif 000006
【図５】
2005334588.tif 000007
【図６】
2005334588.tif 000008